(57)【要約】      （修正有）【課題】体積がコンパクト化され、吸着力が極めて強く、操作に便利な吸盤式の収納棚を提供する。【解決手段】吸盤座１１は、底部に形成された開口部１２、及びその開口部１２の外縁の内側の位置から突出して形成された環状ストッパーを有する。吸盤２１は、吸盤座１１の開口部１２の中に装着される。レバー３１は、吸盤２１の中央部位に連結され、吸盤２１の中央部位を上に移動させることが可能である。スタンド４１は、吸盤座１１の頂部に装着されて相互に向かい合う二つのアーム４２、その二つのアーム４２の間に跨る支持柱５４、および支持柱５４の上に装着されたホルダー５１，７１を有する。レバー３１が吸盤２１の中央部位を上に移動させるとき、吸盤２１は周りの部位が吸盤座の環状ストッパーによって押さえられ、中央部位が突起して真空になることで、収納棚は平面に吸着することが可能である。【選択図】図１
0003173832.tif 000002
【実用新案登録請求の範囲】
【請求項１】
底部に形成された開口部、及びその開口部の外縁の内側の位置から突出して形成された環状ストッパーを有する吸盤座と、
吸盤座の開口部の中に装着された吸盤と、
吸盤の中央部位に連結され、吸盤の中央部位を上に移動させることが可能なレバーと、
吸盤座の頂部に装着されて相互に向かい合う二つのアーム、その二つのアームの間に跨る支持柱、および物を載せるために支持柱の上に装着されたホルダーを有するスタンドと、を備え、
レバーが吸盤の中央部位を上に移動させるとき、吸盤は周りの部位が吸盤座の環状ストッパーによって押さえられ、中央部位が突起して真空になることで、平面に吸着することが可能であることを特徴とする収納棚。
【請求項２】
吸盤座は、中央に形成された貫通孔を有し、
吸盤は貫通孔に対応するように中央部位に突起して形成された突起柱を有し、
吸盤の突起柱は吸盤座の貫通孔を貫通し、吸盤座の頂部に突出しており、
レバーは、一側に形成された作動部と、他側に形成された連結部と、連結部と反対方向に突出して形成された当接部と、連結部と吸盤座の突起柱とを連結する枢軸とを有し、
レバーの連結部は枢軸によって突起柱に連結されて吸盤座の頂部の一端に露出しており、かつ、レバーの当接部は吸盤座の頂部に当接するため、作動部を動かして当接部を吸盤座の頂部に当接させて反作用力を生成すれば、連結部が旋転し、吸盤の突起柱を引っ張ると同時に吸盤を上に移動させることが可能であることを特徴とする請求項１に記載の収納棚。
【請求項３】
スタンドは、底部から下に伸びて形成された壁状ストッパーと、壁状ストッパーに形成されたスリットとを有し、
スタンドが吸盤座の頂部に装着される際、壁状ストッパーはレバーの周りに被さり、レバーの作動部がスリットに露出することを特徴とする請求項１に記載の収納棚。
【請求項４】
二つのアームは、支持柱を連結するために相互に向かい合う位置に形成された軸孔を有し、
ホルダーは、上方支持板および下方支持板から構成され、
アームと支持柱との間に上方支持板および下方支持板が設けられることによって収納空間が形成されることを特徴とする請求項１に記載の収納棚。
【請求項５】
上方支持板は、端部に少なくとも一つの格納孔を有することを特徴とする請求項４に記載の収納棚。
【請求項６】
二つのアームは、支持柱を連結するために相互に向かい合う位置に形成された軸孔を有し、
ホルダーは、外側に延びて形成されたパイプから構成され、パイプは物掛けに用いられることを特徴とする請求項１に記載の収納棚。
【考案の詳細な説明】
【技術分野】
【０００１】
本考案は、収納棚に関し、詳しくは吸盤式の収納棚に関するものである。
【背景技術】
【０００２】
空間が限られた室内では、壁に穴を開ける方式で収納棚または収納棚のような物を固定することによって収納空間を増やすことが一般的である。しばらく時間が経った後、収納空間が足りなくなり、環境の変化、例えば、壁の陶製タイルが長期の使用によって剥離するなどということがある。また位置を直そうと思っても移動できないような事態も起こる。市販では、粘着テープによる跡が残らない壁掛け式フックまたは収納棚は上述の問題を解決できるが、一時的にしか効かない。重量の大きい製品を載せることができないだけでなく落下してしまう可能性があることがその原因である。また移動すると再利用できなくなるため、不経済だけでなく、環境への影響もある。また現今の吸盤式壁掛けフックまたは収納棚は吸着面積が足りなく、構造設計があまり良くないため、吸盤を剥離させ、瓶または缶を落下させてしまうか、製品自体が破損するか人に怪我をさせてしまうような事態が発生する。
【考案の概要】
【考案が解決しようとする課題】
【０００３】
本考案は、体積がコンパクト化され、吸着力が極めて強く、操作に便利であるだけでなく、使用上の安全性および収納空間を移動できる利便性を有する吸盤式の収納棚を提供することを主な目的とする。
【課題を解決するための手段】
【０００４】
上述の目的を達成するために、本考案による収納棚は、吸盤座、吸盤、レバーおよびスタンドを備える。
吸盤座は、底部に形成された開口部、及びその開口部の外縁の内側の位置から突出して形成された環状ストッパーを有する。
吸盤は、吸盤座の開口部の中に装着される。
レバーは、吸盤の中央部位に連結され、吸盤の中央部位を上に移動させることが可能である。
スタンドは、吸盤座の頂部に装着されて相互に向かい合う二つのアーム、その二つのアームの間に跨る支持柱、および物を載せるために支持柱の上に装着されたホルダーを有する。
レバーが吸盤の中央部位を上に移動させるとき、吸盤は周りの部位が吸盤座の環状ストッパーによって押さえられ、中央部位が突起して真空になることで、平面に吸着することが可能である。
【図面の簡単な説明】
【０００５】
【図１】本考案の第１実施形態による収納棚を示す分解図である。
【図２】本考案の第１実施形態による収納棚を示す斜視図である。
【図３】本考案の第１実施形態による収納棚の構造を示す平面図である。
【図４】本考案の第１実施形態による収納棚が平面に吸着して使用される状態を示す平面図である。
【図５】本考案の第１実施形態による収納棚が実際に使用される状態を示す斜視図である。
【図６】本考案の第２実施形態による収納棚の構造を示す斜視図である。
【図７】本考案の第３実施形態による収納棚の構造を示す斜視図である。
【考案を実施するための形態】
【０００６】
以下、本考案による収納棚を図面に基づいて説明する。
（第１実施形態）
図１から図３に示すように、本考案の第１実施形態による収納棚は、吸盤座１１、吸盤２１、レバー３１、スタンド４１、支持柱５４およびホルダーを備える。
【０００７】
吸盤座１１は、中空を呈し、かつ底部に形成された開口部１２と、開口部１２の外縁の内側の位置から下方に突出して形成された環状ストッパー１３と、底部の外縁に形成された欠け口１４と、中央に形成された貫通孔１５と、頂部に突起して形成された複数の結合部１６とを有する。
【０００８】
吸盤２１は、伸縮弾性を有し、かつ円盤状を呈する。吸盤２１は吸盤座１１の開口部１２の中に装着され、かつ周りの部位が吸盤座１１の内側辺縁の環状ストッパー１３に対応し、かつ吸盤座１１の貫通孔１５に対応するように中央部位に突起して形成された突起柱２２を有する。吸盤２１の突起柱２２は吸盤座１１の貫通孔１５を貫通し、吸盤座１１の頂部に突出する。吸盤２１は吸盤座１１の欠け口１４に突出できるように周縁に形成された耳部２３を有する。
【０００９】
レバー３１は、一側に形成された作動部３２と、他側に形成された連結部３３と、連結部３３と反対方向に突出して形成された当接部３４とを有する。レバー３１の連結部３３は枢軸３５が突起柱２２を連結することによって吸盤座１１の頂部の一端に露出する。レバー３１の当接部３４は吸盤座１１の頂部に当接する。このとき作動部３２を動かし、当接部３４を吸盤座１１の頂部に当接させて反作用力を生成すれば、連結部３３は旋転し、吸盤２１の突起柱２２を引っ張ると同時に吸盤２１を上に移動させることができる。
【００１０】
スタンド４１は、相互に向かい合って上に伸びて形成されたアーム４２と、二つのアーム４２上の相互に向かい合う位置に形成された軸孔４３と、底部から下に伸びて形成された壁状ストッパー４４と、壁状ストッパー４４に形成されたスリット４５とを有する。スタンド４１は複数の締付ユニット４６によって吸盤座１１の頂部の結合部１６に固定される。スタンド４１が吸盤座１１の頂部に固定される際、壁状ストッパー４４はレバー３１の周りに被さり、レバー３１の作動部３２はスリット４５に露出する。
【００１１】
支持柱５４は、二つのアーム４２の間に跨るように形成される。本実施形態は上方支持板５１および下方支持板７１でホルダーを構成し、タッピングねじ５３を二つのアーム４２の軸孔４３に差し込むと同時に支持柱５４の柱状ねじ孔５５に締め付けることによって上方支持板５１および下方支持板７１を二つのアーム４２の間に固定する。続いて、上方支持板５１のねじ孔５２にタッピングねじ５３を差し込み、かつタッピングねじ５３を支持柱５４の柱状ねじ孔５５に締め付けて上方支持板５１を安定させ、同時に反対側から下方支持板７１のねじ孔７２にタッピングねじ５３を差し込み、かつタッピングねじ５３を支持柱５４の柱状ねじ孔５５に締め付けて下方支持板７１を安定させることによって、収納棚の物を載せる空間を構成する。
【００１２】
図４に示すように、本実施形態の収納棚を使用する際、まず吸盤２１を平面６１に付着させ、続いてレバー３１の作動部３２を動かし、レバー３１の当接部３４を吸盤座１１の頂部に当接させ、連結部３３を旋転させることによって吸盤２１の突起柱２２を上に移動させることができる。このとき吸盤座１１の内側辺縁の環状ストッパー１３は吸盤２１の周りに圧力を加えて密封し、空気の流れを遮断する。また吸盤２１は周りの部位が平面６１に密着し、中央部分が突起して真空になることによって平面６１に付着する。従って図５に示すように、本考案による収納棚は平面６１にしっかり固定され、物を載せる機能を果たすことができる。
【００１３】
本考案の真空吸着を解除する際、レバー３１の作動部３２を反対方向に動かし、吸盤２１の耳部２３によって吸盤２１の辺縁を持ち上げれば真空吸着を解除することができる。
上述した説明により、本考案の特徴は次の通りである。
１、本考案は操作および組み立てが簡単だけでなく、体積および重量が小さく、場所を取らないため、移動に便利であり、再利用できる。
２、本考案は、真空吸着によって平面に吸着して安定するだけでなく、滑走現象および強力吸着現象が発生しないため、任意の位置および場所へ移動し、物を載せる機能を果たすことができる。
３、本考案は、真空吸着によって平面に吸着して安定するため、使用上の安全性が比較的高い。
【００１４】
（第２実施形態）
図６に示したのは本考案の第２実施形態である。第１実施形態との違いは、上方支持板５１の端部を外側に拡張して別の収納空間を形成し、端部に歯ブラシを置くための複数の格納孔５１１を設けることである。
【００１５】
（第３実施形態）
図７に示したのは本考案の第３実施形態である。第１実施形態との違いは次の通りである。支持柱５４は柱状を呈し、かつ二つのアーム４２の軸孔４３の間に連結される。ホルダーは外側に伸びて折り曲げられたパイプ７３から構成され、タオル掛けまたはトイレットペーパーホルダーなどの機能を果たすことができる。
【符号の説明】
【００１６】
１１：吸盤座、  
１２：開口部、  
１４：欠け口、  
１５：貫通孔、  
１６：結合部、  
２１：吸盤、  
２２：突起柱、  
２３：耳部、  
３１：レバー、  
３２：作動部、  
３３：連結部、  
３４：当接部、  
３５：枢軸、  
４１：スタンド、  
４２：アーム、  
４３：軸孔、  
４４：壁状ストッパー、  
４５：スリット、  
４６：締付ユニット、  
５１：上方支持板、  
５１１：格納孔、  
５２：ねじ孔、  
５３：タッピングねじ、  
５４：支持柱、  
５５：柱状ねじ孔、  
７１：下方支持板、  
７２：ねじ孔、  
７３：パイプ。
【図１】
0003173832.tif 000003
【図２】
0003173832.tif 000004
【図３】
0003173832.tif 000005
【図４】
0003173832.tif 000006
【図５】
0003173832.tif 000007
【図６】
0003173832.tif 000008
【図７】
0003173832.tif 000009